(57)【要約】【課題】  ビデオカメラに搭載する記録媒体のハードディスクの大容量化を図りながら小型で信頼性の高いビデオカメラを提供する。【解決手段】記録媒体であるハードディスクをハンドグリップ部に搭載させる構成において、光ディスクカバーにハードディスクカバーをスライド方向で契合、契止し。前記記録媒体カバーの契止部材による契止状態を外部から特定の解除部材によってのみ契止解除可能とされる内部空間に載置した。【選択図】  図５
2008141445.tif 000002
【特許請求の範囲】
【請求項１】
画像情報を記録する記録媒体としてハードディスクと、光ディスクとを搭載するビデオカメラにおいて、
前記ビデオカメラの筐体は、本体側筐体と、前記本体側筐体に回動自在に開閉される記録媒体カバーとで構成され、
前記記録媒体カバーは、光ディスクカバーにハードディスクカバーをスライドさせて嵌合し、契合部材によって契止する構造となし、
前記光ディスクは、前記記録媒体カバーを回動によって開閉し、前記ビデオカメラの本体側筐体内に着脱自在に載置され、
前記ハードディスクは、前記光ディスクカバーと前記ハードディスクカバーとで構成された内部空間に、前記記録媒体カバーの契止部材による契止状態を外部から特定の解除部材によってのみ契止解除可能とされる状態で載置された
ことを特徴とするビデオカメラ。
【請求項２】
請求項１に記載のビデオカメラにおいて、
前記光ディスクカバーと前記ハードディスクカバーの契合は、前記ハードディスクカバーを前記光ディスクに設けられた案内部材を介し、スライド操作によって前記光ディスクカバーに対し契合離脱する構造とし、
前記光ディスクカバーのスライド方向の後方部分において前記光ディスクカバーと契合する爪部材を設け、スライドによって所定位置に契合された状態で、少なくとも前記ディスクカバーのスライド方向の前方においてネジにより螺合して契合する
ことを特徴とするビデオカメラ。
【請求項３】
請求項２に記載のビデオカメラにおいて、
前記ハードディスクカバーのスライド方向は、ハンドグリップの握り方向と略直交する方向である
ことを特徴とするビデオカメラ。
【請求項４】
ハードディスクを駆動するハードディスクドライブと、光ディスクを駆動する光ディスクドライブとを有する情報記録再生装置であって、
本体筐体と、記録媒体カバーとを有し、
前記光ディスクは前記本体筐体と前記記録媒体カバーの間に着脱自在に載置され、
前記記録媒体カバーは光ディスクカバーとハードディスクカバーを有し、前記本体筐体に対して回動して開閉するように設置され、
前記ハードディスクと平行な面の対角線寸法が前記光ディスクの直径より長い前記ハードディスクドライブは前記光ディスクカバーと前記ハードディスクカバーの間に設置され、かつ、前記ハードディスクカバーは前記光ディスクカバーにスライドして嵌合するツメ部を有し前記ハードディスクカバーと前記光ディスクカバーの外周端が一致するように前記ツメ部により嵌合して設置されることを特徴とする情報記録再生装置。
【請求項５】
請求項４記載の情報記録再生装置であって、
前記本体筐体は制御基盤を有し、
前記記録媒体カバーが開閉するヒンジ部に前記ハードディスクドライブと前記基盤とを接続する回線が配置されたことを特徴とする情報記録再生装置。
【請求項６】
請求項４記載の情報記録再生装置であって、
前記光ディスクドライブの回転中心と前記ハードディスクの回転中心とがずれていることを特徴とする情報記録再生装置。
【請求項７】
請求項４〜６いずれか一項記載の情報記録再生装置であって、
前記ハードディスクドライブは１．８インチ型ハードディスクドライブであることを特徴とする情報記録再生装置。
【請求項８】
請求項４〜７いずれか一項記載の情報記録再生装置であって、
前記光ディスクの直径は８０ｍｍであることを特徴とする情報記録再生装置。
【発明の詳細な説明】
【技術分野】
【０００１】
本発明は、情報記録再生装置に関するものである。
【背景技術】
【０００２】
特許文献１には、
「一般に従来の撮像装置では、カセットテープとカセットテープ以外の記録媒体、すなわち異なる種類の記録媒体を持つものにおいては、使用者は一方の記録媒体を取り出したいにも関らず、カセットカバーを開くたびに他方の記録媒体が出てくる。そのため操作がしづらく、また他方の記録媒体の収納部が作動し、他方の記録媒体が出てくることに伴って無駄な電力を消費する。」という課題を、
「本発明の撮像装置は、複数の撮影モードを有し、撮影モードに対応する異なる種類の着脱可能な記録媒体を持つ撮像装置であって、撮影モードに応じて、一方の記録媒体の着脱動作を禁止する」という手段を用いて解決することが記載されている。
【０００３】
【特許文献１】特開２００４−１９３６７８号公報（（０００４）（０００６）参照）
【発明の開示】
【発明が解決しようとする課題】
【０００４】
近年、ビデオカメラは、ディジタル記録技術の開発に伴なって情報の記録媒体を多様化する状況にある。すなわち、記録媒体は、ビデオテープのみならず、光ディスク、ハードディスク、メモリカード等種々の媒体をそれぞれの特徴を生かして搭載され、しかも、ビデオカメラは、複数の記録媒体を組み合わせて搭載することにより記録、保存等の使い勝手を向上させている。
【０００５】
このように複数の記録媒体を用いるビデオカメラは記録、保存等の使い勝手が向上するが、それぞれの記録媒体の故障等に迅速に対応すべく、メンテナンスの容易性の確保も必要とされる。
【０００６】
この点、特許文献１では複数の記録媒体を搭載するビデオカメラについての記載はあるものの、各記録媒体のメンテナンス容易性の確保については考慮されていない。
【０００７】
さらに、複数の記録媒体を搭載することや、ビデオカメラに内蔵するハードディスク容量を大容量化することはビデオカメラの大型化のおそれがあるが、特許文献１ではビデオカメラ小型化のための各記録媒体搭載位置や、配置についての考慮がされていない。
【０００８】
そこで、本発明ではこれらの課題を解決できるビデオカメラを提供することを目的とする。
【課題を解決するための手段】
【０００９】
上記の課題を解決するために、本発明では一例として特許請求の範囲記載の構成を用いる。
【発明の効果】
【００１０】
本発明によれば、使い勝手のよいビデオカメラを提供することができる。
【発明を実施するための最良の形態】
【００１１】
以下、本発明の実施の形態について、図面を用いて詳細に説明する。  図１は、本発明におけるビデオカメラの概要を示す外観斜視図である。図２は、本発明におけるビデオカメラにおいて、記録媒体である光ディスクを装着するために記録媒体カバーを開いた状態を示した外観斜視図である。図8は従来のビデオカメラの概要を示す外観斜視図である。  図１、図２、図８におけるビデオカメラ１は、記録媒体として光ディスク２、およびハードディスク３を搭載するものであり、図２において示すように、光ディスク２は、ビデオカメラ１の本体に装着し、ハードディスクは、記録媒体カバー５内に例えば精密ドライバー等の特別の工具によって取り出せるように一体的に保持されている。光ディスク２の直径は約８０mmである。
【００１２】
ビデオカメラ本体側の筐体４には、被写体を光学的に入射する光学レンズ部６、撮影時・再生時に映像等を表示するビューファインダ７、および液晶表示部８（図面の背面側に配置されて記載の無い）などをメカフレーム（図示せず）を介して保持している。さらには、ビデオカメラ本体側の筐体４には、光ディスク２を本体に装着するために開閉自在とされた記録媒体カバー５を保持している。光ディスク２のビデオカメラ１への着脱は、従来の記録媒体の着脱と同様に記録媒体カバー５の開閉によって、ビデオカメラ１の光ディスク２の装着部材に着脱して行う構成である。ここで、本発明の記録媒体の１つであるハードディスク３の設置は、ビデオカメラ１の小型化のために、記録媒体カバー５内に設けている。
【００１３】
図８のビデオカメラでは、１インチ型のハードディスクが使用されており、その外形の概略寸法は図示の通りである。また、ハードディスクは光ディスクカバー５１とハードディスクカバー５２により形成される空間に固定されている。ハードディスクカバー５２を固定するために使用されているネジのうち、光ディスク２の記録面と垂直方向のネジは図示の通り５８a、６２、６３の３本である。ネジ５８aはハードディスクカバー５２の外側から設置し、ネジ６２、６３は光ディスクカバー５１側から設置される。それぞれのネジはハードディスクの面より外側に配置される。
【００１４】
このように、従来の１インチ型のハードディスクであれば、対角線の寸法が約５０mmであり、光ディスク２の直径より小さい。そのため、光ディスク２の記録面と垂直方向にネジを複数設けてもビデオカメラ全体を大型化することなくハードディスクカバー５２を固定することができていた。
【００１５】
一方、本発明で用いる１．８インチ型ハードディスクの外形の概略寸法を図１に示す。このように、本発明で用いるハードディスクは対角線の寸法が約８９．２mmとなり、光ディスク２の直径よりも大きくなる。そのため、１．８インチ型ハードディスクを用いる場合に、光ディスク２の記録面と垂直方向にネジを複数設けるとビデオカメラ全体が大型化することとなる。
【００１６】
そこで、本発明のハードディスク３の装着状態を説明する。図３は、本発明の記録媒体の1つであるハードディスク３を搭載する記録媒体カバー５を示す外観斜視図である。図４は、図３の記録媒体カバー５の内側からみた斜視図である。図５は、本発明における記録媒体カバー５の分解斜視図である。
【００１７】
図５に示すように、記録媒体カバー５は、光ディスクカバー５１とハードディスクカバー５２とで構成され、ハードディスク３は、周辺部を緩衝部材５４によって保持された状態で、光ディスクカバー５１とハードディスクカバー５２で挟持するようにして内蔵した一体構成である。さらに記録媒体カバー５を本体側の筐体４に対し回動自在に開閉するための回動支持部材５５が、図示しないネジ等によって記録媒体カバー５に一体に契合している。また、光ディスク２と回動支持板５５の間には、光ディスク２との接触を回避するための緩衝部材５９を貼付している。
【００１８】
ここで、ビデオカメラ１の撮影にあたってビデオカメラ１の支持は、液晶表示装置の取り付け面と、反対面に取り付けられているハンドグリップバンド９によって行う。ハンドグリップバンド９の下から手を通して、記録媒体カバー５のハードディスクカバー５２を手の平で包み込むようにし、光ディスクカバー５１の上辺部に指の先端を沿えながら、ハンドグリップバンド９によって手の甲側を押させることによりなされる。搭載されるハードディスク３の記録容量はできる限り大きくすることによってビデオカメラ１の使用態様を拡大できることから、極力大きなディスクサイズのハードディスクを搭載させることが好ましい。ただ、前述するように、ハードディスクの配置場所は、ビデオカメラ１を支持するハンドグリップ部分とされるが搭載されるハードディスクが手による支持方法によって限定され難い構成とすることが望まれる。
【００１９】
図３に示されるように、ハードディスクカバー５２を白抜き矢印の示す方向よりスライドさせて光ディスクカバー５１と契合する構造としている。すなわち、契合するスライド方向は、ハンドグリップを握る方向と直交する方向である。ハードディスクカバー５２のスライド方向の後方部には複数個の契合爪５６を設けている。ハードディスクカバー５２の契合爪５６は、光ディスクカバー５１に設けられている被契合部材５７と契合して,互いに位置決めされて保持される。その契合後にハードディスクカバー５２のスライド方向の前端部において、ネジ５８bにより螺合している。このようにハードディスクを載置したハンドグリップ部におけるハードディスクカバー５２と光ディスクカバー５１との契合を手で握る方向と直交させることにより、変形等によって契合が緩むことを回避させることができ、ハードディスク装着状態を安定にすることが可能である。
【００２０】
図６は、ハードディスクカバー52を取り外した状態のビデオカメラの外観図である。図中、光ディスクの外形と、光ディスクカバー外周端を破線で示している。図７は、ハードディスクカバーが設置されている状態での図６のAA’間の断面図を簡易的に示した図である。
【００２１】
このように、ハードディスクカバーから従来のネジ６２、６３を排除し、契合爪５６を57と契合させることにより、ハードディスクカバーと光ディスクカバーの外周端を一致させ、ハードディスク固定部材の省スペース化を図ることができる。そのため、１．８インチ型のハードディスク、すなわち光ディスクの直径より大きい寸法を有するハードディスクを安定にビデオカメラに設置しつつ、ビデオカメラ全体の大型化を防止することが可能となる。このようにして、ハードディスクの大容量化と、ビデオカメラの大型化防止を両立することができる。
【００２２】
さらには、光ディスクカバー５１とハードディスクカバー５２との契止は、スライドによって自動的に回動する契止部60によって行われる。ここで、前述の契合爪56は弾性変形をすることなく５７と契合する部材であるのに対し、契止部60も爪状の部材であるが、契止される際に一度弾性変形してから光ディスクカバー５１と契止される部材である。ハードディスク３の故障等によってハードディスク３の取り外しを必要とする場合には、例えばピンセット等の先端が鋭い特定の工具を緩衝部材５９に設けられた２個の穴６１に差し込んで、光ディスクカバー５１に設けられた開口を通して契止部６０の光ディスクカバー５１とハードディスクカバー５２の契止を解除可能にしている。この構成は、ユーザによって間違えてハードディスク３の離脱を行われないようにしたものであり、ハードディスク３の装着に関する安全性を確保している。
【００２３】
また、従来のビデオカメラと比較して、ハードディスクカバーの固定に用いていたネジ６２、６３を排除し、爪状の契止部６０を用いて固定しているため、ハードディスクカバーの着脱が容易となる。これにより、例えばハードディスク故障時等、ハードディスクカバーを取り外さなければならない場合のメンテナンスの容易性が確保できる。
【００２４】
上記の構成によって、ハードディスクドライブを搭載したビデオカメラにおいて、ユーザによってハードディスクドライブの着脱を回避するとともに、ハードディスクの故障時に修理可能なように取り外し可能としながら、小型で、信頼性を有するビデオカメラを提供できる。
【図面の簡単な説明】
【００２５】
【図１】本発明におけるビデオカメラの概要を示す外観斜視図である。
【図２】本発明のビデオカメラにおいて、記録媒体である光ディスクを装着するために記録媒体カバーを開いた状態を示した外観斜視図である。
【図３】本発明の記録媒体の1つであるハードディスクを搭載する記録媒体カバーを示す外観斜視図である。
【図４】本発明における図３の記録媒体カバー５の内側からみた斜視図である。
【図５】本発明における記録媒体カバー５の分解斜視図である。
【図６】本発明におけるビデオカメラの外観図である。
【図７】本発明におけるビデオカメラの断面図である。
【図８】従来のビデオカメラの外観斜視図である。
【符号の説明】
【００２６】
１  ビデオカメラ
２  光ディスク
３  ハードディスク    
４  本体側筐体
５  記録媒体カバー  ５１  光ディスクカバー    ５２  ハードディスクカバー
５４  緩衝部材    ５５回動支持部材    ５６  契合爪    ５７  被契合部材
５８a、５８b、62、63  ネジ        ５９緩衝部材    ６０契止部
６    光学レンズ部
７    ビューファインダ
８    液晶表示装置
【図１】
2008141445.tif 000003
【図２】
2008141445.tif 000004
【図３】
2008141445.tif 000005
【図４】
2008141445.tif 000006
【図５】
2008141445.tif 000007
【図６】
2008141445.tif 000008
【図７】
2008141445.tif 000009
【図８】
2008141445.tif 000010